(57)【特許請求の範囲】
【請求項１】
基地局からマルチキャスト又はブロードキャスト通信により送信された第１のデータを複数のアンテナで受信する移動局であって：
前記第１のデータを前記複数のアンテナ間で合成し、前記第１のデータから複製されて複数の送信時間単位に渡って送信された第２のデータを前記複数のアンテナ間で合成するアンテナ間合成部；
アンテナ間で合成された前記第１のデータと共に、アンテナ間で合成された前記第２のデータを保存する保存部；及び
保存された前記第１のデータ及び前記第２のデータを複数の送信時間単位に渡って合成し、前記第１のデータを生成する合成部；
を有する移動局。
【請求項２】
前記合成部は、前記第１のデータが復号された場合、前記第１のデータ及び前記第２のデータの合成を中断する、請求項１に記載の移動局。
【請求項３】
複数の移動局に対してマルチキャスト又はブロードキャスト通信により第１のデータを送信する基地局と、前記第１のデータを複数のアンテナで受信する移動局との間のマルチキャスト／ブロードキャスト通信方法であって：
前記基地局が、前記第１のデータを複製し、第２のデータを生成するステップ；
前記基地局が、前記第１のデータと共に、前記第２のデータを複数の送信時間単位に渡って送信するステップ；
前記移動局が、前記第１のデータを前記複数のアンテナ間で合成し、前記第２のデータを前記複数のアンテナ間で合成するステップ；
前記移動局が、アンテナ間で合成された前記第１のデータと共に、アンテナ間で合成された前記第２のデータを保存するステップ；及び
前記移動局が、保存された前記第１のデータ及び前記第２のデータを複数の送信時間単位に渡って合成し、前記第１のデータを生成するステップ；
を有するマルチキャスト／ブロードキャスト通信方法。
【発明の詳細な説明】
【技術分野】
【０００１】
本発明は、基地局、移動局及びマルチキャスト／ブロードキャスト通信方法に関する。
【背景技術】
【０００２】
基地局から移動局へのデータ送信は、典型的には１対１のユニキャスト通信で行われる。しかし、同じデータを複数の移動局に送信する場合には、１対多のマルチキャスト又はブロードキャスト通信の方が無線リソースの利用効率を高めることができる。マルチキャスト又はブロードキャスト通信とは、複数の移動局に対して同じデータを同時に送信する技術である。特に、マルチキャスト通信は1対特定多数の通信のことを言い、ブロードキャスト通信は１対不特定多数の通信のことを言う。
【０００３】
このようなマルチキャスト又はブロードキャスト通信を実現するために、マルチメディアコンテンツをマルチキャスト又はブロードキャスト通信で配信するＭＢＭＳ（Multimedia Broadcast Multicast Service）と呼ばれる技術が検討されている。ＭＢＭＳは、ブロードキャストメッセージサービス及び高速ビデオストリーミングサービスを可能にし、次世代移動通信システムであるＥ−ＵＴＲＡ（Evolved UMTS Terrestrial Radio Access）システム又は第４世代システムでの実用化が期待されている。
【０００４】
ＭＢＭＳには、複数の基地局（セル）が同期を保ち、複数の基地局（セル）から同じＭＢＭＳデータを送信するＭＢＳＦＮ（MBMS with Single Frequency Network）と、１つの基地局（セル）からＭＢＭＳデータを送信するシングルセルＭＢＭＳとの２種類のネットワークアーキテクチャがある。この２種類のネットワークアーキテクチャを図１に示す。
【０００５】
図１（Ａ）は、ＭＢＳＦＮのネットワークアーキテクチャを示す。このアーキテクチャでは、複数の基地局が同期を保ち、複数の基地局から同じＭＢＭＳデータを送信する。複数の基地局が同期を保つことにより、周辺セルからのほぼすべての信号をガード区間内で受信することができるため、周辺セルからの信号は干渉にはならず、移動局は、複数の基地局からの信号をソフト合成（soft-combining）することにより、データの高品質な受信が可能になる。
【０００６】
図１（Ｂ）は、シングルセルＭＢＭＳのネットワークアーキテクチャを示す。このアーキテクチャでは、基地局は個別にＭＢＭＳデータを送信する。周辺セルはユニキャストデータ又は異なるＭＢＭＳデータを送信する。
【非特許文献１】３GPP、TR２５．３４６、Introduction of the Multimedia Broadcast Multicast Service (MBMS) in the Radio Access Network (RAN)
【発明の開示】
【発明が解決しようとする課題】
【０００７】
ＭＢＭＳデータは、複数の移動局に対して同時送信を行うため、個別の移動局からのフィードバック情報を必要とする技術を適用すると、同時に複数の移動局に影響を及ぼすことになる。従って、ＭＢＭＳデータの送信には、適応変復調・チャネル符号化（ＡＭＣ：Adaptive Modulation and Channel coding）やハイブリッドＡＲＱ（Hybrid Automatic Repeat reQuest）のような個別の移動局からのフィードバック情報を必要とする技術は適用が困難である。すなわち、ＭＢＭＳデータの高品質な受信を実現するためには、基本的にはフィードバック情報を用いない技術を適用する必要がある。
【０００８】
本発明は、フィードバック制御を必要とせずに、ＭＢＭＳデータのようなマルチキャスト又はブロードキャスト通信データの受信品質を向上させることを目的とする。
【課題を解決するための手段】
【００１０】
また、本発明の移動局は、
基地局からマルチキャスト又はブロードキャスト通信により送信された第１のデータを複数のアンテナで受信する移動局であって：
前記第１のデータを前記複数のアンテナ間で合成し、前記第１のデータから複製されて複数の送信時間単位に渡って送信された第２のデータを前記複数のアンテナ間で合成するアンテナ間合成部；
アンテナ間で合成された前記第１のデータと共に、アンテナ間で合成された前記第２のデータを保存する保存部；及び
保存された前記第１のデータ及び前記第２のデータを複数の送信時間単位に渡って合成し、前記第１のデータを生成する合成部；
を有することを特徴の１つとする。
【００１１】
また、本発明のマルチキャスト／ブロードキャスト通信方法は、
複数の移動局に対してマルチキャスト又はブロードキャスト通信により第１のデータを送信する基地局と、前記第１のデータを複数のアンテナで受信する移動局との間のマルチキャスト／ブロードキャスト通信方法であって：
前記基地局が、前記第１のデータを複製し、第２のデータを生成するステップ；
前記基地局が、前記第１のデータと共に、前記第２のデータを複数の送信時間単位に渡って送信するステップ；
前記移動局が、前記第１のデータを前記複数のアンテナ間で合成し、前記第２のデータを前記複数のアンテナ間で合成するステップ；
前記移動局が、アンテナ間で合成された前記第１のデータと共に、アンテナ間で合成された前記第２のデータを保存するステップ；及び
前記移動局が、保存された前記第１のデータ及び前記第２のデータを複数の送信時間単位に渡って合成し、前記第１のデータを生成するステップ；
を有することを特徴の１つとする。
【発明の効果】
【００１２】
本発明の実施例によれば、フィードバック制御を必要とせずに、ＭＢＭＳデータのようなマルチキャスト又はブロードキャスト通信データの受信品質を向上させることが可能になる。
【発明を実施するための最良の形態】
【００１３】
本発明の実施例について、図面を参照して以下に説明する。
【００１４】
本発明の一実施例では、基地局がＭＢＭＳデータを複製し、元のＭＢＭＳデータと共に、複製したＭＢＭＳデータを時間的にずらして複数回送信する。移動局では、時間的にずらして送信されたデータを受信し、データを合成して元のＭＢＭＳデータを復号する。このように、ＭＢＭＳデータを時間的にずらして送信すること（時間ダイバーシチ）により、ダイバーシチ利得が得られる。
【００１５】
図２は、本発明の一実施例に係る時間ダイバーシチを適用したＭＢＭＳ送信方法を示す図である。この例では、基地局は同じＭＢＭＳデータを４つのサブフレーム（送信時間単位）に渡って送信する。時間ダイバーシチ効果の観点から、同じＭＢＭＳデータは連続したサブフレームで送信するのではなく、できるだけ時間を空けて送信する方が望ましい。ただし、送信周期は、アプリケーションにより許容される遅延によって決まる値である。すなわち、許容される遅延の時間内で複製したＭＢＭＳデータを送信しなければならない。また、送信回数は、決められた送信周期とダイバーシチ効果の観点から決まる値である。送信周期及び送信回数は、システムで予め決められてもよく、基地局から移動局に報知チャネルで通知されてもよい。
【００１６】
移動局では、図２に示すように４つのサブフレームに渡って送信されたデータを合成し、元のＭＢＭＳデータを復号する。なお、基地局の近くに位置するような受信品質の良い移動局は、１つのサブフレームを受信してＭＢＭＳデータを復号することができれば、残りの３つのサブフレームの処理を行う必要はない。
【００１７】
複数のサブフレームに渡って送信するデータは、上記のように全て同じデータでもよく、同じデータに異なるパンクチャパターンを適用したものでもよい。全て同じデータを送信することは、送信電力を上げることに相当する。この場合、再送で用いられるＣｈａｓｅ合成と同様の方法でデータを合成することができる。また、同じデータに異なるパンクチャパターンを適用したものを送信することは、符号化率を改善することに相当する。この場合、再送で用いられるインクリメンタル・リダンダンシー（Incremental Redundancy）と同様の方法でデータを合成することができる。
【００１８】
図２では、同じＭＢＭＳデータを４つのサブフレームに渡って送信する場合について説明したが、図３に示すように２つのサブフレームに渡って送信してもよい。上記のように、時間ダイバーシチ効果を得るために、複製したＭＢＭＳデータはできるだけ時間を空けて送信される。
【００１９】
＜送信ダイバーシチ及び受信ダイバーシチを適用した場合のＭＢＭＳ送信方法＞
次に、本発明の時間ダイバーシチを適用したＭＢＭＳ送信方法に加えて、送信ダイバーシチ及び受信ダイバーシチを適用する場合について説明する。
【００２０】
図４は、送信ダイバーシチ及び受信ダイバーシチを示す図である。ここでは、送信ダイバーシチとして、移動局からのフィードバック情報を必要としない開ループ型送信ダイバーシチについて説明する。開ループ型送信ダイバーシチは、空間的に離れた複数のアンテナを用意し、アンテナ毎に、データに異なる操作を行って送信する技術である。例えば、開ループ型送信ダイバーシチでは、アンテナ１の送信信号に対してアンテナ２の送信信号のタイミングをガード区間内で遅延させて送信するＣＤＤ（Cyclic Delay Diversity）が適用される。また、受信ダイバーシチとは、空間的に離れた複数のアンテナで受信し、信号を合成する技術である。
【００２１】
開ループ型送信ダイバーシチ及び受信ダイバーシチは、移動局からのフィードバック情報を必要としないため、本発明の時間ダイバーシチを適用したＭＢＭＳ送信に適用可能である。
【００２２】
図５は、基地局の送信ダイバーシチ及び時間ダイバーシチを適用したときの信号合成方法を示す図である。送信ダイバーシチと時間ダイバーシチとを組み合わせるときに、基地局は、まず、送信しようとするＭＢＭＳデータを複製して、複数のＭＢＭＳデータ（又は同じデータに異なるパンクチャパターンを適用したもの）を生成する。基地局は、この複数のＭＢＭＳデータからアンテナ１用のデータとアンテナ２用のデータとを生成し、各アンテナから複数のサブフレームに渡って送信する。
【００２３】
このデータを移動局で受信すると、移動局は、１サブフレーム毎に基地局のアンテナ１から送信されたデータと基地局のアンテナ２から送信されたデータとを合成する（合成（１））。次に、アンテナ間で合成されたデータを複数のサブフレームに渡って合成する（合成（２））。このように、送信ダイバーシチの合成の後に、時間ダイバーシチの合成を行うことにより、受信品質の良い移動局は、１つのサブフレームを受信してＭＢＭＳデータを復号することができれば、残りのサブフレームの処理を行う必要がなくなる。
【００２４】
別法として、基地局は、まず、送信しようとするＭＢＭＳデータからアンテナ１用のデータとアンテナ２用のデータとを生成し、その後、アンテナ毎にデータを複製して、複数のＭＢＭＳデータを複数のサブフレームに渡って送信してもよい。
【００２５】
このデータを移動局で受信すると、移動局は、基地局のアンテナ１及び２から複数のサブフレームに渡って送信されたデータを合成する（合成（２））。次に、複数のサブフレーム間で合成されたデータをアンテナ１とアンテナ２との間で合成する（合成（１））。このように、時間ダイバーシチの合成を行った後に、送信ダイバーシチの合成を行ってもよい。
【００２６】
図６は、移動局の受信ダイバーシチ及び時間ダイバーシチを適用したときの信号合成方法を示す図である。基地局は、送信しようとするＭＢＭＳデータを複製して、複数のＭＢＭＳデータ（又は同じデータに異なるパンクチャパターンを適用したもの）を生成する。基地局は、この複数のＭＢＭＳデータを複数のサブフレームに渡って送信する。
【００２７】
このデータを移動局で受信すると、移動局は、１サブフレーム毎に移動局のアンテナ１で受信したデータと移動局のアンテナ２で受信したデータとを合成する（合成（１））。次に、アンテナ間で合成されたデータを複数のサブフレームに渡って合成する（合成（２））。このように、受信ダイバーシチの合成の後に、時間ダイバーシチの合成を行うことにより、受信品質の良い移動局は、１つのサブフレームを受信してＭＢＭＳデータを復号することができれば、残りのサブフレームの処理を行う必要がなくなる。
【００２８】
別法として、移動局は、移動局のアンテナ１及び２で複数のサブフレームに渡って受信されたデータを合成する（合成（２））。次に、複数のサブフレーム間で合成されたデータをアンテナ１とアンテナ２との間で合成する（合成（１））。このように、時間ダイバーシチの合成を行った後に、受信ダイバーシチの合成を行ってもよい。
【００２９】
なお、図５及び図６を組み合わせて、送信ダイバーシチと受信ダイバーシチと時間ダイバーシチとを組み合わせて受信品質を向上させることも可能である。
【００３０】
＜基地局の構成＞
図７は、基地局の送信アンテナが１つの場合の、本発明の一実施例に係る基地局１０の構成図である。基地局１０は、ＭＢＭＳ情報複製部１０１と、送信部１０３とを有する。
【００３１】
ＭＢＭＳ情報複製部１０１は、送信しようとするＭＢＭＳデータを複製して、複数のＭＢＭＳデータ（又は同じデータに異なるパンクチャパターンを適用したもの）を生成する。送信部１０３は、元のＭＢＭＳデータと共に、複製されたＭＢＭＳデータを時間的にずらして送信する。具体的には、送信部１０３は、複数のＭＢＭＳデータを複数のサブフレームに渡って送信する。
【００３２】
図８は、基地局の送信アンテナが２つの場合の、本発明の一実施例に係る基地局１０の構成図である。基地局１０は、ＭＢＭＳ情報複製部１０１と、送信部１０３−１及び１０３−２とに加えて、ＣＤＤ部１０５を有する。
【００３３】
ＭＢＭＳ情報複製部１０１は、上記と同じ処理を行う。ＣＤＤ部１０５は、元のＭＢＭＳデータ及び複製されたＭＢＭＳデータから、アンテナ１用のデータとアンテナ２用のデータとを生成する。例えば、ＣＤＤ部は、アンテナ１用のデータに対してアンテナ２用のデータに所定の位相回転を与えて、ガード区間内でタイミングを遅延させる。送信部１０３−１及び１０３−２は、それぞれ、各アンテナ用のデータを複数のサブフレームに渡って送信する。なお、図８は、移動局で送信ダイバーシチの合成の後に時間ダイバーシチの合成を行う場合に相当する。
【００３４】
図９は、基地局の送信アンテナが２つの場合の、本発明の一実施例に係る基地局１０の構成図である。基地局１０は、ＭＢＭＳ情報複製部１０１−１及び１０１−２と、送信部１０３−１及び１０３−２とに加えて、ＣＤＤ部１０５を有する。
【００３５】
ＣＤＤ部１０５は、送信しようとするＭＢＭＳデータから、アンテナ１用のデータとアンテナ２用のデータとを生成する。ＭＢＭＳ情報複製部１０１−１及び１０１−２は、各アンテナ用のデータを複製して、アンテナ毎に複数のＭＢＭＳデータ（又は同じデータに異なるパンクチャパターンを適用したもの）を生成する。送信部１０３−１及び１０３−２は、それぞれ、アンテナ毎に生成された複数のＭＢＭＳデータを複数のサブフレームに渡って送信する。なお、図９は、移動局で時間ダイバーシチの合成の後に送信ダイバーシチの合成を行う場合に相当する。
【００３６】
＜移動局の構成＞
図１０は、基地局の送信アンテナが１つの場合の、本発明の一実施例に係る移動局２０の構成図である。移動局２０は、受信部２０１と、受信信号保存部２０３と、受信信号合成部２０５と、復調・復号部２０７とを有する。
【００３７】
上記のように、基地局から移動局に送信されるＭＢＭＳデータは、複製されて複数のＭＢＭＳデータ（又は同じデータに異なるパンクチャパターンを適用したもの）として複数のサブフレームに渡って送信される。受信部２０１は、基地局から送信されたデータを受信する。このデータは受信信号保存部２０３に保存される。受信信号合成部２０５は、複数のサブフレームに渡ってデータを合成する。なお、受信品質が良い場合には、対象となる複数のサブフレームの全てを合成しなくてもよい。復調・復号部２０７は、合成されたデータを復調及び復号し、所望のＭＢＭＳデータを生成する。
【００３８】
図１１は、基地局の送信アンテナが２つの場合の、本発明の一実施例に係る移動局２０の構成図である。移動局２０は、受信部２０１と、ＣＤＤ合成部２０９と、ＣＤＤ合成信号保存部２１１と、ＣＤＤ合成信号合成部２１３と、復調・復号部２０７とを有する。
【００３９】
受信部２０１は、基地局から送信されたデータを受信する。ＣＤＤ合成部２０９は、基地局のアンテナ１から送信されたデータと基地局のアンテナ２から送信されたデータとを合成する。このデータはＣＤＤ合成信号保存部２１１に保存される。ＣＤＤ合成信号合成部２１３は、複数のサブフレームに渡ってデータを合成する。なお、受信品質が良い場合には、対象となる複数のサブフレームの全てを合成しなくてもよい。復調・復号部２０７は、合成されたデータを復調及び復号し、所望のＭＢＭＳデータを生成する。なお、図１１は、移動局で送信ダイバーシチの合成の後に時間ダイバーシチの合成を行う場合に相当する。
【００４０】
図１２は、基地局の送信アンテナが２つの場合の、本発明の一実施例に係る移動局２０の構成図である。移動局２０は、受信部２０１と、受信信号保存部２０３と、受信信号合成部２０５と、ＣＤＤ合成部２０９と、復調・復号部２０７とを有する。
【００４１】
受信部２０１は、基地局から送信されたデータを受信する。このデータは受信信号保存部２０３に保存される。受信信号合成部２０５は、複数のサブフレームに渡ってデータを合成する。ＣＤＤ合成部２０９は、基地局のアンテナ１から送信されたデータと基地局のアンテナ２から送信されたデータとを合成する。復調・復号部２０７は、合成されたデータを復調及び復号し、所望のＭＢＭＳデータを生成する。なお、図１２は、移動局で時間ダイバーシチの合成の後に送信ダイバーシチの合成を行う場合に相当する。
【００４２】
図１３は、移動局の受信アンテナが２つの場合の、本発明の一実施例に係る移動局２０の構成図である。移動局２０は、受信部２０１−１及び２０１−２と、受信信号保存部２０３−１及び２０３−２と、受信信号合成部２０５−１及び２０５−２と、アンテナ間合成部２１７と、復調・復号部２０７とを有する。
【００４３】
受信部２０１−１及び２０１−２は、基地局から送信されたデータを移動局の各受信アンテナで受信する。このデータは、アンテナ毎に受信信号保存部２０３−１及び２０３−２に保存される。受信信号合成部２０５−１及び２０５−２は、複数のサブフレームに渡ってデータを合成する。アンテナ間合成部２１７は、アンテナ毎に合成されたデータをアンテナ１とアンテナ２との間で合成する。復調・復号部２０７は、合成されたデータを復調及び復号し、所望のＭＢＭＳデータを生成する。なお、図１３は、移動局で時間ダイバーシチの合成の後に受信ダイバーシチの合成を行う場合に相当する。
【００４４】
図１４は、移動局の受信アンテナが２つの場合の、本発明の一実施例に係る移動局２０の構成図である。移動局２０は、受信部２０１−１及び２０１−２と、アンテナ間合成部２１７と、受信信号保存部２０３と、受信信号合成部２０５と、復調・復号部２０７とを有する。
【００４５】
受信部２０１−１及び２０１−２は、基地局から送信されたデータを移動局の各受信アンテナで受信する。アンテナ間合成部２１７は、アンテナ毎に受信したデータをアンテナ１とアンテナ２との間で合成する。このデータは、受信信号保存部２０３に保存される。受信信号合成部２０５は、複数のサブフレームに渡ってデータを合成する。なお、受信品質が良い場合には、対象となる複数のサブフレームの全てを合成しなくてもよい。復調・復号部２０７は、合成されたデータを復調及び復号し、所望のＭＢＭＳデータを生成する。なお、図１４は、移動局で受信ダイバーシチの合成の後に時間ダイバーシチの合成を行う場合に相当する。
【００４６】
＜マルチキャスト又はブロードキャスト通信方法のフローチャート＞
図１５は、本発明の一実施例に係るＭＢＭＳ送信方法のフローチャートである。
【００４７】
まず、基地局は、送信しようとするＭＢＭＳデータを複製して、複数のＭＢＭＳデータ（又は同じデータに異なるパンクチャパターンを適用したもの）を生成する（Ｓ１０１）。次に、元のＭＢＭＳデータと共に、複製されたＭＢＭＳデータを複数のサブフレームに渡って送信する（Ｓ１０３）。上記のように、基地局は送信ダイバーシチを適用して送信してもよい。具体的には、基地局は、複数のＭＢＭＳデータからアンテナ１用のデータとアンテナ２用のデータとを生成し、各アンテナから複数のサブフレームに渡って送信してもよい。
【００４８】
移動局は、複数のサブフレームに渡って送信されたＭＢＭＳデータを受信して保存する（Ｓ１０５）。次に、移動局は、保存されたデータを複数のサブフレームに渡って合成し、所望のＭＢＭＳデータを得る（Ｓ１０７）。上記のように、移動局は、基地局の送信ダイバーシチに応じて基地局の複数のアンテナから送信された信号を合成してもよい。具体的には、移動局は、送信ダイバーシチの合成の後に時間ダイバーシチの合成を行ってもよく、時間ダイバーシチの合成の後に送信ダイバーシチの合成を行ってもよい。更に、移動局は、受信ダイバーシチを適用して信号を受信してもよい。具体的には、移動局は、受信ダイバーシチの合成の後に時間ダイバーシチの合成を行ってもよく、時間ダイバーシチの合成の後に受信ダイバーシチの合成を行ってもよい。
【００４９】
上記のように、本発明の実施例によれば、フィードバック制御を必要とせずに、ＭＢＭＳデータのようなマルチキャスト又はブロードキャスト通信データの受信品質を向上させることが可能になる。
【００５０】
なお、本発明は、上記の実施例に限定されることなく、特許請求の範囲内において種々の変更及び応用が可能である。また、本発明の基地局、移動局及びマルチキャスト／ブロードキャスト通信方法は、図１（Ａ）に示すＭＢＳＦＮにも図１（Ｂ）に示すシングルセルＭＢＭＳにも適用可能である。更に、本発明は、ＭＢＭＳに限定されず、他のマルチキャスト又はブロードキャスト通信にも適用可能である。
【図面の簡単な説明】
【００５１】
【図１】ＭＢＭＳの２種類のネットワークアーキテクチャを示す図
【図２】本発明の一実施例に係る時間ダイバーシチを適用したＭＢＭＳ送信方法を示す図（４回送信の場合）
【図３】本発明の一実施例に係る時間ダイバーシチを適用したＭＢＭＳ送信方法を示す図（２回送信の場合）
【図４】送信ダイバーシチ及び受信ダイバーシチを示す図
【図５】本発明の一実施例に係るＭＢＭＳ送信の信号合成方法を示す図（送信ダイバーシチを用いる場合）
【図６】本発明の一実施例に係るＭＢＭＳ送信の信号合成方法を示す図（受信ダイバーシチを用いる場合）
【図７】本発明の一実施例に係る基地局の構成図（１送信アンテナの場合）
【図８】本発明の一実施例に係る基地局の構成図（２送信アンテナの場合）
【図９】本発明の一実施例に係る基地局の構成図（２送信アンテナの場合）
【図１０】本発明の一実施例に係る移動局の構成図（基地局が１送信アンテナの場合）
【図１１】本発明の一実施例に係る移動局の構成図（基地局が２送信アンテナの場合）
【図１２】本発明の一実施例に係る移動局の構成図（基地局が２送信アンテナの場合）
【図１３】本発明の一実施例に係る移動局の構成図（移動局が２受信アンテナの場合）
【図１４】本発明の一実施例に係る移動局の構成図（移動局が２受信アンテナの場合）
【図１５】本発明の一実施例に係るＭＢＭＳ送信方法のフローチャート
【符号の説明】
【００５２】
１０  基地局
１０１  ＭＢＭＳ情報複製部
１０３  送信部
１０５  ＣＤＤ部
２０  移動局
２０１  受信部
２０３  受信信号保存部
２０５  受信信号合成部
２０７  復調・復号部
２０９  ＣＤＤ合成部
２１１  ＣＤＤ合成信号保存部
２１３  ＣＤＤ合成信号合成部
２１７  アンテナ間合成部
【図１】
0004874275.tif 000002
【図２】
0004874275.tif 000003
【図３】
0004874275.tif 000004
【図４】
0004874275.tif 000005
【図５】
0004874275.tif 000006
【図６】
0004874275.tif 000007
【図７】
0004874275.tif 000008
【図８】
0004874275.tif 000009
【図９】
0004874275.tif 000010
【図１０】
0004874275.tif 000011
【図１１】
0004874275.tif 000012
【図１２】
0004874275.tif 000013
【図１３】
0004874275.tif 000014
【図１４】
0004874275.tif 000015
【図１５】
0004874275.tif 000016